(57)【特許請求の範囲】
【請求項１】
熱い飲料および冷たい飲料のどちらも分配供給するように適合された飲料を分配供給する装置であって、
筐体と、
前記筐体に装着されたコントロールパネルであって、前記コントロールパネルは飲料を選択できるように構成される、コントロールパネルと、
前記筐体内のコントローラであって、前記コントローラは前記コントロールパネルと連通する、コントローラと、
前記コントローラの制御により前記筐体内に装着されたモータ駆動の熱い／冷たい飲料を分配供給するモジュールであって、前記熱い／冷たい飲料を分配供給する機構は、
冷たい飲料ミックスを含有する冷たいカプセルおよび熱い飲料ミックスを含有する熱いカプセルのいずれかを受領し保持するように適合された担体を含有するシャーシと、
前記シャーシ上に装着されたカバーであって、前記カバーは開位置と閉位置との間で枢動可能である、カバーと、
前記シャーシの底面上の少なくとも１つの飲料の出口オリフィスと、
前記カバーと協働する冷たい飲料を作製する機構であって、前記機構は、前記カバーを閉じると挿入された冷たい飲料カプセルを開くように適合され、前記冷たい飲料を作製する機構は、前記開いた冷たい飲料カプセルを水平位置から回転した位置に回転させるようにも適合され、冷たい液体の注入された流れが混合し、前記出口オリフィスを通ってその内容物を押し出すことができる、冷たい飲料を作製する機構と、
さらに前記カバーと協働する熱い飲料を作製する機構であって、前記熱い飲料を作製する機構は、熱い飲料ミックスを含有するカプセルを受領し保持するように構成されたカプセル担体を含み、前記カプセル担体は、前記カバーを閉じるとバネに対して下方に移動するように構成され、また前記機構は前記カプセル底部の下で前記シャーシに取り付けられた出口針と、モータ駆動アームを回転すると前記カプセルの上部を穿刺するように適合された前記モータ駆動アームに取り付けられた入口注入針とを含み、前記カプセルの上部が穿刺された後、前記モータ駆動アームは前記カプセルをさらに下方に前記バネに対して押し付けることにより、前記出口針が前記カプセルの底部を穿刺し、次いで前記機構は前記入口注入針を通って熱い液体を前記カプセルの中に注入し、前記出口針を通して熱い飲料を引き抜き、前記熱い飲料を前記出口オリフィスに運ぶ、熱い飲料を作製する機構とを備える、
モータ駆動の熱い／冷たい飲料を分配供給するモジュールとを備える、
飲料を分配供給する装置。
【請求項２】
前記モータ駆動アームは複数の歯車を通してモータに結合される、請求項１に記載の飲料を分配供給する装置。
【請求項３】
前記冷たいカプセルはリムを有し、前記リム上の溝に沿ってまたは前記リムの真下で亀裂開封するように適合される、請求項１に記載の飲料を分配供給する装置。
【請求項４】
前記冷たいカプセルは粉末の冷たい飲料ミックスを含有する、請求項１に記載の飲料を分配供給する装置。
【請求項５】
前記冷たいカプセルは液体の冷たい飲料ミックスを含有する、請求項１に記載の飲料を分配供給する装置。
【請求項６】
前記熱いカプセルはコーヒー、お茶、またはホットチョコレートミックスを含有する、請求項１に記載の飲料を分配供給する装置。
【請求項７】
前記コントローラは記憶された指示を実行するように適合されたマイクロコントローラである、請求項１に記載の飲料を分配供給する装置。
【請求項８】
前記記憶された指示により、冷たい飲料を選択すると冷たい液体を前記カプセルの中に注入させ、または熱い飲料を選択すると熱い液体を前記カプセルの中に注入されることにより、使用者が前記コントロールパネルを介して冷たい飲料または熱い飲料のいずれかを選択できる、請求項７に記載の飲料を分配供給する装置。
【請求項９】
前記飲料を分配供給する装置の中心に空洞を有し、前記空洞は実質的に円筒形の底部および部分的に円錐形の上部を有する、請求項１に記載の飲料を分配供給する装置。
【請求項１０】
前記飲料を分配供給する装置の中心に空洞を有し、前記カバーはラム部材にリンク結合され、前記ラム部材は前記冷たいカプセルまたは熱いカプセルを前記空洞内に固定し、前記カバーを閉じると前記カプセルの底部を穿刺することなく前記熱いカプセルを下方に前記出口針に向かって押し付けるように適合される、請求項１に記載の飲料を分配供給する装置。
【請求項１１】
前記冷たいカプセルのリム部が前記シャーシに取り付けられた突起に衝突することにより、前記冷たいカプセルのリムが前記冷たいカプセルから離れてこじ開けられる軌道に沿って、前記冷たいカプセルを回転させることにより、前記冷たいカプセルを開ける回転部材をさらに備える、請求項１０に記載の飲料を分配供給する装置。
【請求項１２】
前記飲料を分配供給する装置の中心に空洞を有し、前記空洞と協働して冷たいカプセルまたは熱いカプセルが前記空洞の中に挿入されたことを前記コントローラに通知する、前記コントローラに電気接続されたセンサをさらに備える、請求項１に記載の飲料を分配供給する装置。
【請求項１３】
前記センサは、前記冷たいカプセルまたは熱いカプセル上のラベルを読み取るカメラである、請求項１２に記載の飲料を分配供給する装置。
【請求項１４】
個別の熱いオリフィスおよび冷たいオリフィスをさらに備える、請求項１に記載の飲料を分配供給する装置。
【請求項１５】
前記冷たい液体は濾過された水である、請求項１に記載の飲料を分配供給する装置。
【請求項１６】
前記水は炭酸を含む、請求項１５に記載の飲料を分配供給する装置。
【請求項１７】
前記熱い液体は濾過された水である、請求項１に記載の飲料を分配供給する装置。
【請求項１８】
前記濾過された水はコーヒーを淹れるのに充分な温度である、請求項１７に記載の飲料を分配供給する装置。
【請求項１９】
前記筐体は加熱機構をさらに含有する、請求項１に記載の飲料を分配供給する装置。
【発明の詳細な説明】
【技術分野】
【０００１】
本発明は概して飲料を分配供給するシステムに関し、より詳細には冷たい飲料および熱い飲料の両方を分配供給できる、完全に飲料を分配供給するシステムに関する。
【背景技術】
【０００２】
先行技術の説明
カプセルから例えば１杯のコーヒーまたはお茶などの飲料を分配供給するための装置および技術が多数存在する。一手法では使い捨て容器がカップの上部に適合し、それに人が熱湯を注ぎ込む必要のある大きなリザーバを上部に備えたコーヒーなどの飲料抽出物を受領するための区画を有する。これらの装置は使い捨て可能であるが高額である可能性があり、コーヒーが容易に劣化するまたは汚染される可能性のある空気にコーヒーが曝され、これらの装置は自動コーヒー製造機または他の飲料機器に概して適さない。飲料の流速は概して遅いので、これらの装置は通常分配供給される飲料の容積に対して大きい。またこれらの装置は直立で使用されるように設計することができ、底部領域のみが濾過流に利用可能であり、これが濾過工程の遅さの一因となる。一構造では、封止された受器内にフィルタが提供され、支持部材は受器とフィルタの中間に含まれ、フィルタを支持するように機能する。フィルタは濡れると垂れ下がり、濾過された飲料を放出するために孔をその内部に有する支持部材に適合するが、それ以外の場合ではフィルタからの排出を阻止する。水が圧力で注入される用途において使用されるこのようなフィルタ設計は流速の遅さを招くはずである。
【０００３】
コーヒーおよびお茶のスペースにある、専売のカプセルベースの機器を供給する公知の会社がいくつか存在し、これらにはＮｅｓｔｌｅ’ｓ  ＮｅｓｐｒｅｓｓｏおよびＳｐｅｃｉａｌ  Ｔ、Ｇｒｅｅｎ  Ｍｏｕｎｔａｉｎ  Ｃｏｆｆｅｅ  Ｒｏａｓｔｅｒ’ｓ  Ｋｅｕｒｉｇ、Ｓｔａｒｂｕｃｋｓ  Ｖｅｒｉｓｍｏ、Ｋｒａｆｔ’ｓ  Ｔａｓｓｉｍｏ、Ｓａｒａ  Ｌｅｅ’ｓ  Ｓｅｎｓｅｏ、Ｎｅｓｃａｆｅ’ｓ  Ｄｏｌｃｅ  Ｇｕｓｔｏ、Ｉｌｌｙ、Ｌａｖａｚｚａ’ｓ  Ｂｌｕｅ  ａｎｄ  Ｂｒｉｔｔａ  Ｙｏｕｒｃｅが含まれる。Ｍａｒｓ  ＦｌａｖｉａおよびＥｓｉｏは、パウチスタイルのシングルユース分配供給システムを利用する機器である。加えて商用環境においてシングルサーブの飲料機器を運営する公知の会社がいくつか存在し、これらにはＰＨＳＩ’ｓ  Ｉｎｔｅｒｐｕｒｅ、Ｗａｔｅｒｌｏｇｉｃ’ｓ  Ｉｎｎｏｗａｖｅ、Ｖｅｒｔｅｘ’ｓ  Ｃｈａｒｍ、Ｋｅｕｒｉｇ、ＮｅｓｔｌｅおよびＭａｒｓ  Ｆｌａｖｉａが含まれる。
【０００４】
現在、同様のカプセル／ポッドを利用したシングルサーブのポイントオフユース冷飲料システムの商品化を企画する他の機器が存在する。例えばＰｒｉｍｏ  Ｗａｔｅｒが取得したＯｍｎｉｆｒｉｏは穿刺機構を使用し、穿刺機構はカプセルの上部および底部を穿刺し、シロップ濃縮液を流出させることを可能にする。Ｂｅｖｙｚはカプセルを破裂開封して混合工程を可能にするための加圧機構を使用する。Ｅｓｉｏ  Ｈｏｔ  ＆  Ｃｏｌｄ  Ｂｅｖｅｒａｇｅ  Ｓｙｓｔｅｍはシロップパウチシステムを使用し、パウチから飲料ミックスを噴出させて、包みの外部で水と飲料ミックスを混合する。ＢｒｉｔａによるＹｏｕｒｃｅはカプセルベースの機器を使用する。
【発明の概要】
【発明が解決しようとする課題】
【０００５】
低温の流体、通常は水を液体濃縮物ではなく粉末と混合することによって、飲料を作製するシステム内に冷飲料が分配供給される場合、１つの大きな課題は、粉末が混合工程中に効率よく溶解しないことである。これにより、飲料システムからの産物が低品質になり、外観が悪くなり、恐らく不衛生な残渣が機器自体の中に生じる可能性がある。分配供給中に粉末と液体を効率よく混合でき、残渣、汚染、もしくは飲料間の相互汚染をほとんどまたは全く生じさせないように設計された、熱い、冷たい、周囲温度の、炭酸の、泡立たない、混合飲料を提供するための改良されたシステムが、米国特許出願第１３／２９３，０４３号、米国特許仮出願第６１／４１１，７８６号、および国際特許出願第ＰＣＴ／ＵＳ２０１１／０６００５０号に記載されており、これらのすべてが参照により本明細書に組み込まれる。本開示は混合飲料を提供するための追加の実施形態を説明する。
【０００６】
加えて冷たい飲料および熱い飲料の両方を分配供給できる機器またはシステムは先行技術にはない。熱い飲料カプセルまたは冷たい飲料カプセルのいずれかを受領し、カプセルを処理し、所望の熱い飲料または冷たい飲料を分配供給できる単一の飲料を分配供給する機器を有することは非常に好都合であるはずである。熱い飲料カプセルおよび冷たい飲料カプセルは形状および大きさを同一にすることができるが、それらを異なる形状および大きさにさせることは好都合である。馴染みの熱い飲料カプセル（Ｇｒｅｅｎ  Ｍｏｕｎｔａｉｎ  Ｋｅｕｒｉｇで使用されている周知のコーヒーカプセルなど）を維持することにより、熱い飲料カプセルをＬａＶｉｔ  ＬＬＣで使用されている冷たい飲料カプセルと容易に識別される。これにより使用者による過ちが防止され、システムが冷たい飲料または熱い飲料のどちらを所望されているかを識別することがより容易になる。
【課題を解決するための手段】
【０００７】
本発明は熱い飲料および冷たい飲料を完全に分配供給するシステムを備える。このシステムは飲料ミックスカプセルを受領するように適合された区画、および顧客にメッセージを表示でき、顧客が飲料のオプションを選択できるコントロールパネルを備えた機器である。本発明は、熱い飲料および冷たい飲料作製の機構部分を完全に制御する飲料作製機構またはサブシステムも備える。
【０００８】
飲料を分配供給するために、使用者は機器に接近し、冷たい飲料カプセルまたは熱い飲料カプセルを区画の中に置き、蓋を閉じ、コントロールパネル上の飲料のタイプを選択する（または選択は挿入されたカプセルのタイプに基づいてシステムによって自動的に行われてもよい）。
【０００９】
選択およびカプセルが冷たい飲料を表す場合、機器のカバーを閉じると機器はカプセルを開く。上部ノズルは少量の冷たい液体を注入して内容物と混合し、内容物を溶解する（または薄くする）。第２のノズルは出口オリフィスの下の容器（カップ）を満たし始める。同時に内部機構はカプセルをほぼ９０度回転させて、カプセルの内容物を容器の中に空ける。冷たい飲料カプセルは、冷たい飲料を生成するために濾過された水に混合される粉末または液体を含有することができる。飲料は「自家製の配合」または製造業者から許諾された一般的な大量市場のブランド飲料であることが可能である。
【００１０】
冷たい飲料カプセルは折り開き剥がすことによって開かれる。カプセルを使用するこの方法は、飲料を作製し送達するための有効で効率的な方法を提供する。機器的装置は、カプセルの上部カバーの下でカプセルへと刻まれた折り目に沿ってカプセルを折り開くように適合される。機器的装置は、通常使用者が蓋を閉じると折り開かれた折り目に沿ってカプセルを剥離開封する。例えば封止を破って、その後カバーを引き剥がすまたはこじ開けることを可能にするために使用できるわずかな折り目をカプセルの縁またはカプセルの真下に含むことができる。記載されたように、カバーが引き剥がされると（例えばカプセルを引裂開封すると）、混合用の液体流で飲料が混合され、多くの実施形態では液体は冷たいまたは熱い、発砲するまたは泡立たない水である。
【００１１】
選択およびカプセルが熱い飲料を表す場合、カプセルは蓋を閉じることにより底部上の針によって穿刺される。機器の蓋を閉じると熱い飲料カプセルが針の上に降ろされる。注入針アームは針を適所で回転させ、これによりカプセルの蓋を貫通する。熱い飲料を淹れるまたは混合するために、熱い液体が熱い飲料カプセルの中に注入される。熱い飲料は圧力によりその底部内の孔から熱い飲料の噴出を介してカップの中に出される。熱い飲料カプセルは粉末、挽いたもの（挽いたコーヒーなど）または液体を含有することができ、これは熱い濾過した水などの注入された熱い液体で淹れるまたは混合される。
【００１２】
本発明の目的は、瓶詰め水よび他の水ベースのすぐに飲める（ＲＴＤ）（ｒｅａｄｙ−ｔｏ−ｄｒｉｎｋ）飲料に代わる魅力的な代替品を提供することである。本発明は、熱いおよび冷たい両方の消費者の水分補給および飲料ニーズに対して便利で信頼性のある費用対効果の高いポイントオブユースの解決手段を提供することを意図する。本発明は、冷たいカプセルベースのシステムによって無制限の冷却濾過水、ならびにシングルサーブの固有飲料を作製できるシングルサーブ飲料システムである。本発明は、炭酸の、風味のある、強化された、超精製濾過された水および香味料、熱いコーヒー、熱いお茶および冷たいお茶、ホットチョコレート、ならびに熱いおよび冷たい両方の多数の他の飲料を分配供給することができる。
【００１３】
次に本発明の特徴を示すいくつかの図面に注目する。
【図面の簡単な説明】
【００１４】
【図１】熱い飲料および冷たい飲料を完全に分配供給するシステムの一実施形態を示す。
【図２Ａ】図２Ａおよび図２Ｂは、典型的な冷たいカプセルの一実施形態を示す。
【図２Ｂ】図２Ａおよび図２Ｂは、典型的な冷たいカプセルの一実施形態を示す。
【図３】コントローラおよびシステムの他の駆動構成要素の概略構成図を示す。
【図４】熱い／冷たい分配供給機構の一実施形態の斜視図を示す。
【図５Ａ】中立または冷たい飲料カプセルが挿入された開始構成における、熱い／冷たい分配供給機構の側断面図を示す。
【図５Ｂ】熱いカプセルが挿入され注入針が途中まで展開された、熱い／冷たい分配供給機構の側断面図を示す。
【図５Ｃ】注入針が完全に展開された、図２Ｂの機構の斜視図を示す。
【図５Ｄ】熱い／冷たい機構の底面斜視図を示す。
【図６】カバーが一部閉じている熱い／冷たい機構の側断面図を示す。
【図７】カバーが完全に閉じている熱い／冷たい機構の側断面図を示す。
【図８】注ぎ枠が冷たい飲料カプセルを回転し始めた際にカバーが完全に閉じている、熱い／冷たい機構の側断面図を示す。
【図９】注ぎ枠が最大に回転した位置でカバーが完全に閉じている、熱い／冷たい機構の側断面図を示す。
【図１０】熱い飲料カプセルまたはｋカップが挿入された中立構成においてカバーが開いている、熱い／冷たい機構の側断面図を示す。
【図１１】カバーが一部閉じている、熱いカプセルが底部針上に載置した、熱い／冷たい機構の側断面図を示す。
【図１２】底部針が熱いカプセルの底部を穿刺するようにカバーが完全に閉じている、熱い／冷たい機構の側断面図を示す。
【図１３】注入針が熱い飲料カプセルの上で回転する間カバーが完全に閉じている、熱い／冷たい機構の側断面図を示す。
【図１４】カバーが完全に閉じ、注入針が熱いカプセルの上部を貫通している、熱い／冷たい機構の側断面図を示す。
【図１５】熱い／冷たい機構の正面図を示す。
【図１６】熱い／冷たい機構の左面図を示す。
【図１７】熱い／冷たい機構の右面図を示す。
【図１８】熱い／冷たい機構の背面図を示す。
【図１９】熱い／冷たい機構の上面図を示す。
【図２０】熱い／冷たい機構の底面図を示す。
【図２１Ａ】図２１Ａ、図２１Ｂおよび図２１Ｃは、異なる位置における熱い／冷たい機構の３つの等角図を示す。
【図２１Ｂ】図２１Ａ、図２１Ｂおよび図２１Ｃは、異なる位置における熱い／冷たい機構の３つの等角図を示す。
【図２１Ｃ】図２１Ａ、図２１Ｂおよび図２１Ｃは、異なる位置における熱い／冷たい機構の３つの等角図を示す。
【図２２】熱いカプセルの上部が底部の前に貫通される、本発明の代替実施形態の断面図を示す。
【図２３】図２３〜図２７は、図２２の実施形態で熱い飲料を分配供給している間の一連の事象を示す図を示す。
【図２４】図２３〜図２７は、図２２の実施形態で熱い飲料を分配供給している間の一連の事象を示す図を示す。
【図２５】図２３〜図２７は、図２２の実施形態で熱い飲料を分配供給している間の一連の事象を示す図を示す。
【図２６】図２３〜図２７は、図２２の実施形態で熱い飲料を分配供給している間の一連の事象を示す図を示す。
【図２７】図２３〜図２７は、図２２の実施形態で熱い飲料を分配供給している間の一連の事象を示す図を示す。
【発明を実施するための形態】
【００１５】
本発明の理解を助けるためにいくつかの図面および例が提示されている。本発明の範囲は、図面に示されたものに限定されない。
【００１６】
本発明は、熱い飲料および冷たい飲料を完全に分配供給するシステムを備える。また本発明は、熱い飲料および冷たい飲料を作製する機器的部分を完全に制御するために筐体に挿入し取り外すことができる、飲料作製機構またはサブシステムも備える。
【００１７】
飲料分配供給機構またはシステム全体の一実施形態が図１に示されており、冷たい水および熱い水または他の給液を含有するカバー（２０１）を備えた外部筐体（２００）、飲料を作製し分配供給するすべての態様、ならびに実際に飲料を分配供給する飲料作製機構を制御するコントローラを含む。コントローラはメッセージを使用者に表示できる１つまたは複数のユーザコントロールパネル（２０１）と電気通信され、使用者は様々な飲料を選択することができる。またボタン（２０３）で選択してもよい。一部の実施形態では、冷たいまたは熱い飲料の選択は挿入されるカプセルのタイプのみに基づいて行われる。通常、果実飲料、レモネード、および他の風味がつけられた冷たい飲料などの冷たい飲料を選択できる一方で、熱い飲料にはコーヒー、お茶、およびホットチョコレートなどを含むことができる。プロセッサは当技術分野で公知のマイクロコントローラ、マイクロプロセッサ、または記憶された指示を記憶し実行するように構成されたあらゆる他のタイプのプロセッサまたはコンピュータであることが可能である。コントローラは通常、搭載メモリおよび外部メモリを含む。一部の実施形態では、コントローラは通信能力を有し、ステータスを通信し、インターネットのようなネットワークを介して命令を受信することができ得る。
【００１８】
熱い飲料および冷たい飲料のどちらも封止されたカプセル内に供給される。冷たい飲料カプセル（または単に冷たいカプセル）は、通常ほぼダイヤモンド形形状のカップであり、リムに封止された蓋が着座する。カップは粉末または液体の冷たい飲料ミックスを含有できる。それぞれの冷たいカプセルは、通常リムの上またはリムの真下のいずれかに溝、切り込み線、または刻み目を有する。カプセルが機器によって捕捉され、使用者が機器の蓋を閉じることによって下方に押圧されると、リムがその端部の１つの上の突起に遭遇できることにより、冷たいカプセルを開くことができる。カプセルが回転し、または下方に移動する際にリムに対して突起の上方への力によって、リムの一部は溝に沿って引裂開封し、冷たい液体をカプセルの中に注入できる開口を提供することにより、混合された冷たい飲料がカプセルから出て機構の下のカップを満たす。冷たいカプセルの典型的な実施形態は、冷たい飲料を分配供給するシステムのためにニューヨークのＬａＶｉｔ  ＬＬＣによって供給されたカプセルに類似している（本発明と同じ発明者らの数人により米国特許第２０１２／０２３１１２６号として公開された係属中の米国特許出願第１３／２９３，０４３号を参照されたい）。図２は典型的な冷たいカプセルの一実施形態を示す。
【００１９】
熱いカプセルは、いくつかの販売会社によりコーヒーを分配供給するために供給された馴染みのカップと類似している。本発明に対して、熱いカプセルは、単にコーヒー以外に例えばお茶もしくはホットチョコレートを含む他の製品、またはあらゆる他の熱い飲料を含有することができる。
【００２０】
図１に戻ると、本発明のシステムの一実施形態の図が見られる。筐体（２００）は基部（３００）および冷たいカプセルまたは熱いカプセルを挿入できるアクセス蓋またはカバー（２０１）を含む。またコントロールパネル（２０１）は筐体（２００）上に装着され、これにより使用者は飲料を選択し飲料の作製を命令することができる。筐体（２００）は、配管、液体の加熱、制御および検知、ならびに熱い／冷たい飲料を分配供給するモジュールまたは機構を含む、すべての必要な構成要素を含有する。
【００２１】
図２Ａは、リム（３０５）および蓋（３０３）を備えた典型的な冷たいカプセル（３０２）を示す。カプセルを固定部材（３０４）で捕捉しながらカプセルを下方に回転させると、突起（３０１）はリム（３０５）をこじ開ける。図２Ｂはこじ開けられた冷たいカプセル（３０２）を示す。図２Ｂは両端が開かれたカプセルを示すが、カプセルを開く好ましい方法は一端のみで開くことである。どちらの開く技法も本発明の範囲内である。
【００２２】
図３は、当技術分野で公知のソリッドステートのコントローラチップであることが可能なコントローラ（２０３）の概略を示す。コントローラ（２０３）は、タッチパネル、ＬＣＤパネルまたはあらゆるタイプのあらゆる他のコントロールパネルであることが可能な、コントロールパネル（２０２）に電気結合される。コントローラ（２０３）は、コントロールパネル（２０２）の読み込みおよび書き込みに加えて、機器的な飲料の作製モジュール（２０５）の通常一部である１つまたは複数の駆動モータ（２０４）も制御する、記憶された指示を実行するプロセッサである。コントローラ（２０３）は、飲料の作製モジュール（２０５）が使用者の選択に依存して冷たい飲料を作製し分配供給する、または熱い飲料を作製し分配供給するように命令することができる。コントロールパネル（２０２）は作製機構内に適切なカプセルを挿入し、カバー閉じるようにメッセージを表示できる。コントローラ（２０３）は、装置の下に置くカップの大きさについての指示を受信し、それゆえ冷たい流体または熱い流体の正しい量を提供することもできる。一部の実施形態では、コントローラ（２０３）は、どのタイプのカプセルが挿入されたかについてのセンサまたはカメラ情報を受信し、冷たい飲料または熱い飲料の作製に進む。カメラの場合、カメラはカプセル上のラベルまたはバーコードを読み取ることができる。
【００２３】
冷たい流体または熱い流体は通常濾過された水であるが、水である必要はない。他の流体を一部の飲料に使用してもよい。特に一部の冷たい飲料に対して、流体は炭酸水であることが可能である。あらゆる流体が本発明の範囲内である。コントローラ（２０３）は様々なポンプ（２０６）、加熱器（２０７）、および弁（２０８）も制御できる。加えてコントローラ（２０３）は、温度センサ（２０９）で熱い注入液の温度を読み取ることができる。コントローラ（２０３）の温度センサ（２０９）および加熱器（複数可）（２０７）は閉ループ構造で作動できる。最後に本発明の一部の実施形態では、コントローラ（２１３）は、冷たいカプセルまたは熱いカプセル（もしくは任意のカプセル）が挿入されたかどうかを決定する前に、カプセルの挿入点付近に配置されたセンサまたはカメラ（２１０）を読み取ることができる。センサ（２１０）は２つ以上のセンサを含んでもよく、１つは何かが挿入されたかどうかを決定し、もう１つは冷たいカプセルまたは熱いカプセルが挿入されたかどうかを決定する。カプセル上のラベルまたはバーコードを読み取るためのカメラ（２１２）が存在してもよい。これらは赤外線ＬＥＤセンサまたは任意の他のタイプのセンサであってもよい。さらなるセンサ（２１１）は、カバーが開いているかまたは閉じているか（着座しているか）どうか、また熱い／冷たい分配供給モジュール内の回転部材の位置を任意に決定できる。カバーが誤った位置にある場合、コントローラ（２０３）は、コントロールパネル（２０１）上にエラーメッセージを置くことができる。
【００２４】
冷たい飲料または熱い飲料の実際の作製および分配供給は、挿入可能な熱い／冷たい分配供給機構またはモジュールによって処理され、これについて次に詳しく説明する。
【００２５】
熱い／冷たい分配供給機構
本発明は、先に説明された封止されたカプセルを使用して冷たい飲料を分配供給でき、コーヒーを分配供給するために当技術分野で公知の標準カプセルに類似したカプセルを使用して熱い飲料を分配供給できる、挿入可能な飲料分配供給モジュールまたは機構を配備する。冷たい飲料カプセルはあらゆる冷たい飲料のために粉末または液体ミックスを含有してもよく、熱いカプセルはコーヒー、お茶、およびホットチョコレート、または任意の他の熱い飲料を含む、あらゆる熱い飲料のために粉末ミックスを含有してもよい。
【００２６】
本発明は、冷たい飲料および熱い飲料両方のタイプのカプセルを操作するように適合された固有の機構を使用することにより、冷たい飲料および熱い飲料の両方を取り扱う。冷たい飲料を所望するときは、使用者は冷たい飲料カプセルを機構の中に挿入し、機器の蓋を閉じる。冷たい飲料カプセルの形状、およびカプセルが機構内に着座する方法により、蓋が閉じられると、先に説明されたように突起部に対して下方に押されることによってカプセルがこじ開けられる。次いで水または他の冷たい液体などの冷たい液体をカプセルの中に注入して混合し、内容物を押し出し、冷たい飲料を生成することができる。
【００２７】
熱い飲料カプセルが機構に挿入されると、このタイプのカプセルは形状が異なるので、機器の蓋を閉じることによりカプセルは開かない。しかし蓋が熱いカプセルを底部の穿刺針の上に押し下げることにより、熱いカプセルの底部に孔ができる。次いで注入針アームが垂直休止位置から熱い飲料カプセルの上で水平位置まで回転することにより、注入針はカプセルの上部を穿刺する。次いで熱い飲料を生成するために、熱い液体を圧力によって熱い飲料カプセルの中に押し付け、または注入することができる。淹れた、または混合した熱い飲料は、底部の孔または底部の針から、そこから熱い飲料がカップの中に流入する熱い噴出口に押し出される。
【００２８】
図４を参照すると、熱い／冷たい分配供給機構の一実施形態の斜視図が見られる。この機構または頭部は、冷たい飲料のみの機構の定位置に先に説明された飲料分配供給機構の中に適合する。図４の機構は、上部筐体（１）、および単一の筐体を形成するために接合された下部筐体（３）を含む。カバーまたは蓋（２２）は、カバーまたは蓋（２２）が後ピンまたはヒンジで枢動開閉できるように取り付けられる。カバー（２２）は通常付勢されて閉じられているが、手で容易に開閉することができる。
【００２９】
機構はその中心に垂直な、実質的に円筒形の空洞（２９）を含み、空洞（２９）は、カバー（２２）が開くと、冷たい飲料カプセルまたは熱い飲料カプセルのどちらかを受領し保持するように構成される。小さい突出した縁または枠（５）によりカプセルはぴたりと着座することができるが、空洞（２９）内で取り外し可能である。また縁（５）はいずれのタイプのカプセルも逆さまに挿入されることを防止する。熱い飲料カプセルは、通常冷たい飲料カプセルより丈が長い。したがって熱い飲料カプセルは空洞（２９）内でより下部に載置する。これは、２つのタイプのカプセル間の差をセンサ、カメラ、または他の技法で識別する方法を提供する。またカプセルは、カプセルがどのようなタイプのカプセルか、カプセルがどのようなタイプの飲料を含有しているかを示す、バーコードまたは他の可読符号を有してもよい。
【００３０】
カバー（２２）は上部筐体（１）と協働し、１対のリンク（２０）でラムフレーム（１８）に結合され、ラムフレーム（１８）はまた下方に枢動し、冷たい飲料カプセルを開くために冷たい飲料カプセルを押し開け、また熱い飲料カプセルを底部穿刺針の上に押し下げるために使用される。
【００３１】
図５Ａは図４の機構の側断面図を示す。カバー（２２）は、カバー（２２）をリンク基部（２）に取り付けた片側にあるヒンジピン（３０）で枢動開閉する。リンク基部（２）は、カバー（２２）に対して台を提供する下部筐体（３）上に装着される。カバー（２２）はリンクバー（２０）でラムフレーム（１８）に結合され、カバー（２２）が閉じるとラムフレーム（１８）も下方に移動する。図５Ａは空洞（２９）内に着座した冷たいカプセル（３１）を示す。この場合、カバー（２２）が使用者によって閉じられると、リンクバー（２０ａ）はラムフレーム（１８）を冷たいカプセル（３１）に押し下げる。冷たいカプセル（３１）は下方に移動し突起（図２Ａに示されている）に対して回転し、開けられる。
【００３２】
図５Ａに見られるように、空洞（２９）は単なる円筒形ではなく、下部円筒部（３２）および先細の円錐上部（３３）を有する。上部（３３）は、先に説明されたタイプの冷たいカプセルを受領し保持するように適合される。下部の実質的な円筒形部（３２）は熱いカプセルを受領し保持するように適合され、熱いカプセルは直径がより小さく、冷たいカプセルの形状と異なり、冷たいカプセルより下部に着座する。空洞（２９）の底部は、機器のカバー（２２）が閉じると熱いカプセルの底部を穿刺するために使用される垂直針（２５）を有する。
【００３３】
熱いカプセルを使用するとき、カバー（２２）を閉じ、熱いカプセルの底部が穿刺された後、注入針アームが垂直静止位置から熱いカプセルの上で水平位置に回転し、これにより注入針（２４）は熱いカプセルの上部を穿刺する。このことは図５Ｂ〜図５Ｃに見られる。図５Ａでは、注入針（２４）が水平位置または休止位置において注入ホース（２８）に取り付けられていることが分かる。これは、注入針アーム（９）が垂直位置にあるその開始位置または休止位置である。図５Ｂは、熱いカプセルが挿入され、注入針（２４）が途中まで展開された機構の側断面図である。図５Ｃは、注入針（２４）が完全に展開され、熱いカプセルの上部が封止された機構の斜視図である。
【００３４】
図５Ｂを参照すると、注入アーム（９）は枢軸（３４）を通して第１の駆動リンク（１０）および第２の駆動リンク（１１）に取り付けられていることが分かる。注入アーム（９）は部分歯車（１７）に取り付けられている。部分歯車（１７）が一定角度回転すると、注入針（２４）は、図５Ａに示された休止位置から、注入針（２４）が熱いカプセルを穿刺した図５Ｃに示された最終位置まで連続して回転する。図５Ｂは回転サイクルを通る途中の注入針（２４）を示す。部分歯車（１７）はより小さい駆動歯車（８）で駆動され、駆動歯車（８）は駆動モータ（図示せず）に結合されている。モータが駆動歯車（８）を回転させると、部分歯車（１７）が部分回転することにより注入針アーム（９）が垂直位置から熱いカプセル（２７）の上で水平位置に移動し、それによって注入針（２４）は熱いカプセルの上部を穿刺する。
【００３５】
図５Ｃは注入針（２４）が完全に展開した機構の上側面斜視図を示す。この構成では、注入針（２４）は熱いカプセルを穿刺し、熱い液体を注入ホース（２８）を通してカプセルの中に注入することができる。注入針を駆動する機構はリンク基部（２）および電機子装着部（６）を含み、これらは注入針回転サブシステムを支持する。第１の駆動リンク（１０）は部分歯車（１７）に取り付けられていることが分かる。注入アーム（９）は部分歯車（１７）に取り付けられている（図５Ｂに示されている）。部分歯車（１７）、ひいては駆動歯車（図５Ｂに示されている）はアセンブリのほぼ中心で横方向に配置されていることが図５Ｃで分かる。
【００３６】
図５Ｄを参照すると、カバー（２２）が閉じた構成で機構の底面斜視図が見られる。下部筐体（３）は上部筐体（１）に取り付けられ、カバー（２２）は開位置と閉位置との間で枢動する。図５Ｄには閉位置が示されている。アセンブリの底面上に熱い噴出口（４）および冷たい飲料オリフィス（３５）が見られる。アセンブリの下裏部には駆動モータ（図示せず）を保持するモータ装着部（１３）が存在する。駆動モータは駆動歯車（８）を直接駆動し、駆動歯車（８）は部分歯車（図５Ｃに示されている）に結合される。取付けブラケット（７）は駆動歯車（８）を装着するために使用される。
【００３７】
先に記載されたように、本発明は冷たい飲料および熱い飲料の両方を分配供給することができる。次に両方の状況に利用される一連の工程について段階的に説明する。
【００３８】
冷たい飲料の分配供給
図５Ａに戻ると、カバー（２２）が開いた静止または休止構成にある断面の分配供給機構が見られる。カバー（２２）はリンクバー（２０）を通してラムフレーム（１８）に結合されている。ラムフレーム（１８）は完全に隆起している。先に説明されたタイプの冷たいカプセル（３１）は分配供給空洞（２９）の中に挿入して示されている。冷たい飲料カプセル（３１）はリムを有し、リムにより冷たい飲料カプセル（３１）は、部分的に円錐形の上部領域（３３）内の空洞（２９）内に高く着座することができる。
【００３９】
図６は、使用者がカバー（２２）を閉じている際の機構を示す。カバーの下方への移動により、ラムフレーム（１８）は２つのリンクバー（２０）の作用を通してカプセル（３１）の上に下方に枢動し、枢軸（３６）はカプセルを捕捉する。
【００４０】
図７は、使用者が最後まで押してカバー（２２）が完全に閉じた際の機構を示す。カプセルリムの外縁は先に説明されたようにカプセル本体が下方に押される際に突起（図２Ａに示されている）に隣接するので、この最後の押圧により冷たいカプセル（３１）はそのリム上またはリムの真下の切り込み線の入った継ぎ目に沿ってこじ開けられる。ポッドフレーム（１６）は、冷たいカプセルを開いた構成にこじ開ける回転部材である。
【００４１】
図８はカバー（２２）を閉じ冷たいカプセル（３１）を引裂開封した後の機構を示す。ポッドフレーム（１６）全体はラムフレーム（１８）とともに、冷たい飲料を分配供給用に作製するために前方に回転する。モータ、通常はステッピングモータ、および他の駆動歯車（図示せず）は冷たいカプセル（３１）を排出位置に回転させる。
【００４２】
図９は、ポッドフレーム（１６）が冷たいカプセルを完全に回転させた後の機構を示す。これは、水などの冷たい液体の流れが冷たいカプセル（３１）の本体の中に注入されると、冷たいカプセル（３１）の内容物が分配供給される、冷たい飲料の分配供給構成である。すぐに飲める冷たい飲料は、オリフィスを通ってアセンブリの底部から出て冷たい飲料の出口オリフィス（３５）を通ってカップの中に直接分配供給される。
【００４３】
冷たい飲料が分配供給された後、システムは元の中立位置に回転して戻る。使用者はカバー（２２）を開けたときに使用済みの冷たいカプセル（３１）を処分することができる。一部の実施形態では、追加の機構（図示せず）が使用済みの冷たいカプセル（３１）を処分領域の中に押し入れる。
【００４４】
熱い飲料の分配供給
図１０は、カバー（２２）が完全に開き、熱い飲料カプセル（２７）が空洞（２９）内に挿入された機構の側断面図を示す。熱い飲料カプセル（２７）は冷たいカプセルより円筒形に近いので（わずかに円錐形であるが）、そのリムはリムが冷たいカプセル上にある限り広がらず、空洞（２９）内の下部に着座する傾向がある。熱いカプセル（２７）の下に底部針（２５）が存在し、これはカバー（２２）が完全に閉じると熱いカプセルの底部を穿刺する。注入針（２４）は中立または休止位置にあり、ラムフレーム（１８）は隆起している。
【００４５】
図１１は、使用者がカバー（２２）を閉じた際の機構を示す。ラムフレーム（１８）はリンク機構（２０）に応答して下方に回転し、熱いカプセル（２７）を捕捉する熱いカプセル（２７）の上部に置かれる。熱いカプセル（２７）は底部針（２５）上に載置するが、底部針はカプセルをまだ貫通していない。
【００４６】
図１２はカバー（２２）が完全に閉じた機構を示す。カバーを閉じる力により、ラムフレーム（１８）がカプセル（２７）を底部針（２５）の上に押し下げ、底部針がカプセル（２７）の底部を穿刺する。システムは熱い飲料をすぐに淹れられる。
【００４７】
図１３は、駆動モータ（図示せず）が駆動歯車（８）を回し始め、次いで部分歯車（１７）が回る際の次のステップを示す。これにより注入アーム（９）が前方に枢動し、注入針（２４）を熱い飲料カプセル（２７）の上部に向かって移動させる。
【００４８】
図１４は、注入アームがその最下位置に達した際に熱いカプセル（２７）の上部を貫通している注入針（２４）を示す。駆動歯車（８）および部分歯車（１７）はそれらが回転可能な端部に到達し停止している。ここで熱い液体が圧力により注入針（２４）を通って熱いカプセル（２７）の中に注入されてもよい。注入針封止（２３）は注入針（２４）を熱いカプセル（２７）の上部に封止し、注入中の漏れを防止する。次に熱い飲料を淹れるまたは混合する。熱い飲料は熱いカプセルの底部の孔を通って押し出され、熱い噴出口（４）（図５Ｄおよび図２０に示されている）を通ってカップの中に分配供給される。
【００４９】
熱い飲料が分配供給された後、使用者（または次の使用者）はカバー（２２）を開いた後に使用済みの熱いカプセル（２４）を処理できる。
【００５０】
熱い／冷たい分配供給機構の外側の図
図１５、図１６、図１７、図１８、図１９、および図２０は、それぞれの主要方向から熱い／冷たい分配供給機構の外側を示す。図１５は正面図を示す。図１６は左面図を示す。図１７は右面図を示す。図１８は背面図を示す。図１９は上面図を示す。図２０は底面図を示す。
【００５１】
図１５を参照すると、熱い／冷たい機構の正面図が見られる。カバー（２２）、ラムフレーム（１８）、および注入針（２４）が見える。カバー（２２）は開位置で示されている。
【００５２】
図１６は機構の左面図を示す。カバー（２２）、リンク（２０）、および枢軸（３４）が見られる。ピンヒンジ（３０）はカバー（２２）を枢動させることができる。開口フレーム（５）および開口ポッドフレーム（１６）も見える。冷たいカプセルを開く、または熱いカプセルを底部針に押し下げるために、開口ポッドフレーム（１６）は図１６に示された水平位置から垂直位置に回転する。回転はピン（３７）を中心とする。
【００５３】
図１７は機構の右面図を示す。やはりカバー（２２）およびリンク（２０）が見られる。異なるモータで駆動する特定の部分歯車アセンブリ（３８）により、冷たいカプセルの内容物を分配供給できるために、ポッドフレーム（１６）が論じたように回転する。
【００５４】
図１８は機構の背面図を示す。ここではカバー（２２）を裏側から見ており、下方に閉じ視点から離れている。注入針駆動歯車（８）は下部筐体の背面にあるスロットを通して見ることができる。
【００５５】
図１９は主にカバー（２２）を含む上面図を示す一方で、図２０は底面図を示す。熱い噴出口（４）および冷たいオリフィス（３５）が見られる。またユニットの背面には駆動モータ装着部（１３）、注入針駆動歯車（８）、および部分歯車（１７）もある。最後に筐体の上背面から出ている注入ホース（２８）が見られる。
【００５６】
図２１Ａ〜図２１Ｃは３つの異なる位置における機構の３つの斜視図を示す。先に説明された特徴のほとんどが見られる。特に興味深いのは、ポッドフレーム（１６）が冷たいカプセルを開くために回転する一方で、ラムフレーム（１８）は冷たいカプセルを抑制するように作用することである。下部注入フレームは冷たい飲料部を保持する。この下部注入フレームは、冷たい飲料を分配供給できるために前方に回転するように下部歯車（３８）によって駆動される。上部注入フレーム（１９）はいずれのタイプのカプセルも着座させるために回転する。
【００５７】
本発明の特定の実施形態は、冷たいカプセルまたは熱いカプセルが機構に挿入されたか（または何かが挿入されたか）を決定するセンサを具備することができる。このセンサは、使用者が自身の選択に対して誤ったタイプのカプセルを挿入した場合、機器がエラーメッセージを表示することができ、実際には飲料の分配供給をしない、または注入針を冷たいカプセルの上に展開させないように、コントローラに結合できる。誤りの場合には、使用者は誤って挿入されたカプセルを取り除きそれを廃棄するか、または挿入されたカプセルに合わせるために自身の選択を訂正する機会を得ることができる。カバー（２２）が完全に閉じられると、冷たいカプセルが引裂開封されるか、または底部針が熱いカプセルを貫通するので、誤って挿入されたカプセルを取り除きそれを後で使用することは不可能である。誤って挿入されたカプセルを取り除く場合、それは廃棄されるべきである。
【００５８】
本発明の異なる実施形態では、熱い分配供給は、熱いカプセルの底部が出口針によって穿刺される前に、上部が入口針によって穿刺されるように構成される。
【００５９】
図２２を参照すると、この実施形態の断面図を見ることができる。熱いカプセル（２７）は、先に説明された実施形態と同様の手法で空洞（２９）内に着座される。熱いカプセル（２７）は、キャリアバネ（５１）によって上方にバネ荷重された担体（５０）上に載置している。カバー（２２）は開いている。カプセル（２７）の下に出口針（２５）が配置されている。カプセル（２７）から離れた収縮位置に入口注入針（２４）が示されている。
【００６０】
図２３〜図２７は一連の熱い飲料の作製および分配供給を示す。図２３ではカバー（２２）は閉じている。ラムフレーム（１８）は、カップ担体（５０）およびカプセル（２７）を部分的に下方にキャリアバネ（５１）に対して押し付ける。出口針（２５）はカプセル（２７）の下に留まり、カプセルを穿刺しない。
【００６１】
図２４では、モータ駆動アーム（１１）が入口注入針（２４）をカプセルの上部に向かって回転させ始める一方で、出口針（２５）はカプセル（２７）の下に留まり続ける。アーム（１１）はモータに結合された歯車によって駆動される。
【００６２】
図２５では、アーム（１１）がほぼ水平位置に達した際に、入口注入針（２４）はカプセル（２７）の上部を穿刺する。出口針（２５）は依然としてカプセル（２７）の底部の下にあり、熱いカプセル（２７）をまだ穿刺していない。
【００６３】
図２６では、モータ駆動アーム（１１）はカプセル（２７）をさらに下方にバネに対してまた出口針（２５）の上に押し付け始める。プラスチックカプセルの底部（５４）は貫通が起きる前にわずかに歪むことができる。
【００６４】
図２７では、カプセルの底部（５４）は、カプセル担体のストロークの底部で出口針（２５）によって穿刺される。次いで熱い飲料を生成するために、熱い液体を圧力により入口注入針を通ってカプセルの中に注ぐことができる。出口針（２５）を通ってカプセルの底部から完成した熱い飲料を運び出し、他の実施形態におけるように熱いオリフィスを通ってカップに分配供給することができる。
【００６５】
分配供給が完了後、モータ駆動アーム（１１）は図２２に示された垂直位置に戻る。カプセル担体はキャリアバネ（５１）により上方に図２３に示された位置に押される。最後にカバー（２２）が開くと、使用済みのカプセルはキャリアバネ（５１）によりさらに上方に図２２に示された位置に押され、そこで手動または自動的にカプセルを取り除くことができる。
【００６６】
本発明の理解に役立つために、いくつかの説明および例を提示した。本発明の精神から逸脱することなく多くの変更および変形を行うことができることが当業者には理解されよう。これらの変更および変形はそれぞれ本発明の範囲内である。
【図１】
0006687614.tif 000002
【図２Ａ】
0006687614.tif 000003
【図２Ｂ】
0006687614.tif 000004
【図３】
0006687614.tif 000005
【図４】
0006687614.tif 000006
【図５Ａ】
0006687614.tif 000007
【図５Ｂ】
0006687614.tif 000008
【図５Ｃ】
0006687614.tif 000009
【図５Ｄ】
0006687614.tif 000010
【図６】
0006687614.tif 000011
【図７】
0006687614.tif 000012
【図８】
0006687614.tif 000013
【図９】
0006687614.tif 000014
【図１０】
0006687614.tif 000015
【図１１】
0006687614.tif 000016
【図１２】
0006687614.tif 000017
【図１３】
0006687614.tif 000018
【図１４】
0006687614.tif 000019
【図１５】
0006687614.tif 000020
【図１６】
0006687614.tif 000021
【図１７】
0006687614.tif 000022
【図１８】
0006687614.tif 000023
【図１９】
0006687614.tif 000024
【図２０】
0006687614.tif 000025
【図２１Ａ】
0006687614.tif 000026
【図２１Ｂ】
0006687614.tif 000027
【図２１Ｃ】
0006687614.tif 000028
【図２２】
0006687614.tif 000029
【図２３】
0006687614.tif 000030
【図２４】
0006687614.tif 000031
【図２５】
0006687614.tif 000032
【図２６】
0006687614.tif 000033
【図２７】
0006687614.tif 000034